(57)【特許請求の範囲】
【請求項１】
位置だけでなく向きも規定された聴取位置を定義するとともに各オーディオ信号について聴取位置に対する相対出力位置を規定するオーディオチャンネルを定義し各オーディオチャンネルのオーディオ信号を入力される複数個のオーディオ入力点、
聴取位置に対して各オーディオチャンネルに対応する相対位置にそれぞれ配置される複数個のスピーカ、
前記スピーカへ１：１の接続関係で接続される複数個のアンプ、
各アンプについてそれへテスト信号を入力したときオーディオを出力するスピーカをユーザにより調査され該調査に基づくユーザ入力に従って各アンプと各スピーカとの対応関係（以下、「アンプ−スピーカ対応関係」と言う。）を登録する対応関係登録手段、及び
前記スピーカからその相対方向に対応するオーディオチャンネルのオーディオが出力されるようにアンプ−スピーカ対応関係に基づいて前記複数個のオーディオ入力点と前記複数個のアンプの入力側との接続を制御する接続制御手段、
を有し、
聴取位置の向きを回転する旨のユーザ通知に対して、前記接続制御手段は、アンプ−スピーカ対応関係に基づいて前記聴取位置の向き回転後の各スピーカの相対位置を向き回転後相対位置として求め各スピーカが、その向き回転後相対位置に対応するオーディオチャンネルのオーディオ信号を出力するようにアンプ−スピーカ対応関係に基づいて前記複数個のオーディオ入力点と前記複数個のアンプの入力側との接続を変更することを特徴とするオーディオ装置。
【請求項２】
オーディオチャンネルには、聴取位置に対する相対出力位置がそれぞれ左前方及び右前方となっているものと共に、聴取位置に対する相対出力位置が中央前方となっているものが含まれ、変更後相対位置が聴取位置の中央前方となるスピーカが存在しない場合には、中央前方オーディオチャンネルのオーディオ信号は、左前方及び右前方オーディオチャンネルの各オーディオ信号に加算されるようになっていることを特徴とする請求項１記載のオーディオ装置。
【請求項３】
位置だけでなく向きも規定された聴取位置を定義するとともに各オーディオ信号について聴取位置に対する相対出力位置を規定するオーディオチャンネルを定義し、各オーディオチャンネルのオーディオ信号を、ＩＥＥＥ１３９４ネットワークを使用して、複数個のアンプ内蔵スピーカの内の対応のアンプ内蔵スピーカへ共通の送出手段から伝送するようにし、ＩＥＥＥ１３９４では、Ａ＆Ｍプロトコル（Ａｕｄｉｏ  ａｎｄ  Ｍｕｓｉｃ  Ｄａｔａ  Ｔｒａｎｓｍｉｓｓｉｏｎ  ｐｒｏｔｏｃｏｌ）のＡＭ８２４データが定義され、該ＡＭ８２４データではラベルとオーディオデータとが定義され、各オーディオチャンネル別に異なるラベルのＡＭ８２４データのオーディオデータに変換され、同一のタイミングの各オーディオチャンネルのオーディオデータは共通のオーディオデータブロックにまとめられ、さらに、複数個のオーディオデータブロックが１個のアイソクロナスパケットにまとめられて、前記送出手段から前記ＩＥＥＥ１３９４ネットワークへ送出されるオーディオ装置において、
前記送出手段は、各オーディオチャンネル別にオーディオ信号を入力される複数個の入力端子もち、各入力端子へ入力されたオーディオ信号別にＡＭ８２４データの決められたラベルを割り当てるとともに、全オーディオチャンネルに係るＡＭ８２４データを搭載したアイソクロナスデータを所定のアイソクロナス転送チャンネルによりＩＥＥＥ１３９４ネットワークへ送出し、
前記アンプ内蔵スピーカは、聴取位置に対して各オーディオチャンネルに対応する相対位置にそれぞれ配置され、選択指示手段によりアイソクロナス転送チャンネル及びＡＭ８２４データのラベルを指示され該指示に対応のアイソクロナス転送チャンネルのパケットの内の該指示に対応のラベルのＡＭ８２４データを選択してオーディオを出力し、
対応関係登録手段には、前記送出手段の各入力端子についてそれへテスト信号を入力したとき該入力端子に設定のオーディオチャンネルのオーディオが該オーディオチャンネルに対応の相対位置のアンプ内蔵スピーカから出力されるために該アンプ内蔵スピーカにおける受信アイソクロナス転送チャンネル及びラベルをどれにするかをユーザにより調査され該調査に基づくユーザ入力に従って各アンプ内蔵スピーカと受信アイソクロナス転送チャンネル及びラベルとの対応関係（以下、「スピーカ−チャンネル等の対応関係」と言う。）を登録され、
前記選択指示手段は、前記対応関係登録手段に登録されたスピーカ−チャンネル等の対応関係に基づいて各アンプ内蔵スピーカへそのアンプ内蔵スピーカの選択するアイソクロナス転送チャンネル及びラベルを指示することを特徴とするオーディオ装置。
【請求項４】
聴取位置の向きを回転する旨のユーザ通知に対して、前記選択指示手段は、スピーカ−チャンネル等の対応関係に基づいて前記聴取位置の向き回転後の各アンプ内蔵スピーカの相対位置を向き回転後相対位置として求め各アンプ内蔵スピーカが、その向き回転後相対位置に対応するオーディオチャンネルのオーディオ信号を出力するようにスピーカ−チャンネル等の対応関係に基づいて各アンプ内蔵スピーカの選択すべきアイソクロナス転送チャンネル及びラベルを各アンプ内蔵スピーカに指示することを特徴とする請求項３記載のオーディオ装置。
【請求項５】
オーディオチャンネルには、聴取位置に対する相対出力位置がそれぞれ左前方及び右前方となっているものと共に、聴取位置に対する相対出力位置が中央前方となっているものが含まれ、変更後相対位置が聴取位置の中央前方となるアンプ内蔵スピーカが存在しない場合には、中央前方オーディオチャンネルのオーディオ信号は、左前方及び右前方オーディオチャンネルの各オーディオ信号に加算されるようになっていることを特徴とする請求項４記載のオーディオ装置。
【発明の詳細な説明】
【０００１】
【発明の属する技術分野】
本発明は、例えばドルビー・デジタル方式のサウンド・システムのような立体音響を聞くのに適したオーディオ装置に関し、詳しくはユーザのスピーカ接続配線の手間を軽減できるオーディオ装置に関するものである。
【０００２】
【従来の技術】
ＤＶＤ（Ｄｉｇｉｔａｌ  Ｖｅｒｓａｔｉｌｅ  Ｄｉｓｋ：ディジタル多用途ディスク）に採用されているドルビー・デジタル方式のマルチ・サウンド・システムでは、各オーディオ信号について、Ｌ（Ｌｅｆｔ：左）、ＳＷ（Ｓｕｂ  Ｗｏｏｆｅｒ：サブウーハー）、Ｃ（Ｃｅｎｔｅｒ：中央）、Ｒ（Ｒｉｇｈｔ：右）、ＳＲ（Ｓｕｒｒｏｕｎｄ  Ｒｉｇｈｔ：サラウンド右）、ＳＬ（Ｓｕｒｒｏｕｎｄ  Ｌｅｆｔ：サラウンド左）のチャンネルが定義され、Ｌチャンネル用スピーカ、Ｒチャンネル用スピーカ、ＳＬチャンネル用スピーカ、ＳＲチャンネル用スピーカ、Ｃチャンネル用スピーカ、及びＳＷ用スピーカが、室内の所定位置に配置され、Ｌ、Ｒ、ＳＬ、ＳＲ、Ｃ、及びＳＷのチャンネルのオーディオを出力している。従来のマルチ・サウンド・システムでは、各アンプはそれが出力するオーディオ信号のチャンネルを決められており、各スピーカは、チャンネルの一致するアンプへケーブルにより正しく接続される必要がある。
【０００３】
【発明が解決しようとする課題】
従来のマルチ・サウンド・システムでは、各スピーカを接続するアンプが決められているので、ユーザは、オーディオ装置の購入時に行うスピーカとアンプとの接続に細心の注意を払う必要があるとともに、部屋の模様替えに伴いスピーカを移動するときも、スピーカの移動前にケーブルを一々取り外し、また、移動後には、ケーブルを、それが接続するアンプとスピーカとのチャンネルが一致するように、細心の注意を払いながら、配線しなければならない。
【０００４】
本発明の目的は、ユーザが、各相対位置のスピーカから正しいオーディオチャンネルのオーディオが出力されるために、ユーザがスピーカとアンプとを正確に接続しなければならない手間を省略できるオーディオ装置を提供することである。
【０００５】
【課題を解決するための手段】
第１の発明のオーディオ装置は次のものを有している。
・位置だけでなく向きも規定された聴取位置を定義するとともに各オーディオ信号について聴取位置に対する相対出力位置を規定するオーディオチャンネルを定義し各オーディオチャンネルのオーディオ信号を入力される複数個のオーディオ入力点
・聴取位置に対して各オーディオチャンネルに対応する相対位置にそれぞれ配置される複数個のスピーカ
・スピーカへ１：１の接続関係で接続される複数個のアンプ
・各アンプについてそれへテスト信号を入力したときオーディオを出力するスピーカをユーザにより調査され該調査に基づくユーザ入力に従って各アンプと各スピーカとの対応関係（以下、「アンプ−スピーカ対応関係」と言う。）を登録する対応関係登録手段
・スピーカからその相対方向に対応するオーディオチャンネルのオーディオが出力されるようにアンプ−スピーカ対応関係に基づいて複数個のオーディオ入力点と複数個のアンプの入力側との接続を制御する接続制御手段
【０００６】
複数個のスピーカとは、例えばドルビー・デジタル方式のマルチ・サウンド・システムにおけるＬチャンネル用スピーカ、Ｒチャンネル用スピーカ、ＳＬチャンネル用スピーカ、ＳＲチャンネル用スピーカ、Ｃチャンネル用スピーカ、及びＳＷ用スピーカであり、オーディオチャンネルとは、例えば例えばドルビー・デジタル方式のマルチ・サウンド・システムにおけるＬ（Ｌｅｆｔ：左）、ＳＷ（Ｓｕｂ  Ｗｏｏｆｅｒ：サブウーハー）、Ｃ（Ｃｅｎｔｅｒ：中央）、Ｒ（Ｒｉｇｈｔ：右）、ＳＲ（Ｓｕｒｒｏｕｎｄ  Ｒｉｇｈｔ：サラウンド右）、ＳＬ（Ｓｕｒｒｏｕｎｄ  Ｌｅｆｔ：サラウンド左）のチャンネルである。聴取位置に対する各スピーカの相対位置について、例えばドルビー・デジタル方式のマルチ・サウンド・システムでは、スピーカＬ、Ｒ、ＳＬ、ＳＲ、Ｃ、及びＳＷは、それぞれ左前方、右前方、左後方、右後方、中央前方、及び相対位置無しである。
【０００７】
好ましくは、アンプはメインアンプであり、オーディオ入力点へはプリメインアンプからのオーディオ信号が入力される。
【０００８】
ユーザは、どのスピーカにはどのアンプを接続しなければならないと言うようなスピーカとアンプとの対応関係に注意を払うことなく、単純にスピーカとアンプとを１：１の接続関係で接続する。これにより、ユーザは、接続作業の際の注意を軽減される。スピーカとアンプとの接続後、各アンプの入力側へテスト信号を入力させると、該アンプへ接続されているスピーカからオーディオが出力される。ユーザは、オーディオの出力されたスピーカがどれかを調査し、これを対応関係登録手段に入力する。こうして、対応関係登録手段には、各アンプと各スピーカとの対応関係としてのアンプ−スピーカ対応関係が登録される。例えば、１〜６のアンプとＬ、Ｒ、ＳＬ、ＳＲ、Ｃ、及びＳＷのスピーカとがある場合に、アンプ１にテスト信号を入力したときに、スピーカＳＲからオーディオが出力されたら、アンプ１−スピーカＳＲの対応関係が記憶され、次に、アンプ２にテスト信号を入力したときに、スピーカＣからオーディオが出力されたら、アンプ２−スピーカＣの対応関係が記憶される。接続制御手段は、アンプ−スピーカ対応関係に基づいて複数個のオーディオ入力点と複数個のアンプとの接続を制御することにより、各相対値のスピーカからの対応のオーディオチャンネルのオーディオが出力される。
【０００９】
第２の発明のオーディオ装置によれば、第１の発明のオーディオ装置において、聴取位置の向きを回転する旨のユーザ通知に対して、接続制御手段は、アンプ−スピーカ対応関係に基づいて聴取位置の向き回転後の各スピーカの相対位置を向き回転後相対位置として求め各スピーカが、その向き回転後相対位置に対応するオーディオチャンネルのオーディオ信号を出力するようにアンプ−スピーカ対応関係に基づいて複数個のオーディオ入力点と複数個のアンプの入力側との接続を変更する。
【００１０】
部屋の模様変え等が行われると、聴取位置の向きが変更になる。ｎを整数とし、聴取位置の向きが時計方向へ９０・ｎ°回転すると、向き回転後の聴取位置に対する各スピーカの相対位置は、反時計方向へ９０・ｎ°回転する。接続制御手段は、アンプ−スピーカ対応関係に基づいて聴取位置の向き回転後の各スピーカの相対位置を向き回転後相対位置として求め、この向き回転後相対位置に合わせてアンプ−スピーカ対応関係に基づいて複数個のオーディオ入力点と複数個のアンプの入力側との接続を変更する。こうして、各スピーカからは、その向き回転後相対位置に対応するオーディオチャンネルのオーディオが出力される。
【００１１】
第３の発明のオーディオ装置によれば、第２の発明のオーディオ装置において、オーディオチャンネルには、聴取位置に対する相対出力位置がそれぞれ左前方及び右前方となっているものと共に、聴取位置に対する相対出力位置が中央前方となっているものが含まれ、変更後相対位置が聴取位置の中央前方となるスピーカが存在しない場合には、中央前方オーディオチャンネルのオーディオ信号は、左前方及び右前方オーディオチャンネルの各オーディオ信号に加算されるようになっている。
【００１２】
例えばドルビー・デジタル方式のマルチ・サウンド・システム等では、Ｃチャンネル用となっているスピーカが存在する。聴取位置の向き回転に伴い、聴取位置の中央前方にスピーカが配置されていない場合がある。このような場合、Ｌ及びＲのオーディオチャンネルにＣのオーディオチャンネルのオーディオ信号を加算すれば、変更後相対位置がＬ及びＲとなっているスピーカが本来のＬ及びＲのオーディオチャンネルにオーディオに加えて、Ｃのオーディオが出力され、Ｃ用のスピーカがなくても、Ｃのオーディオチャンネルのオーディオを聞くことができる。
【００１３】
第４の発明のオーディオ装置によれば、位置だけでなく向きも規定された聴取位置を定義するとともに各オーディオ信号について聴取位置に対する相対出力位置を規定するオーディオチャンネルを定義し、各オーディオチャンネルのオーディオ信号を、ＩＥＥＥ１３９４ネットワークを使用して、複数個のアンプ内蔵スピーカの内の対応のアンプ内蔵スピーカへ共通の送出手段から伝送するようにし、ＩＥＥＥ１３９４では、Ａ＆Ｍプロトコル（Ａｕｄｉｏ  ａｎｄ  Ｍｕｓｉｃ  Ｄａｔａ  Ｔｒａｎｓｍｉｓｓｉｏｎ  ｐｒｏｔｏｃｏｌ）のＡＭ８２４データが定義され、該ＡＭ８２４データではラベルとオーディオデータとが定義され、各オーディオチャンネル別に異なるラベルのＡＭ８２４データのオーディオデータに変換され、同一のタイミングの各オーディオチャンネルのオーディオデータは共通のオーディオデータブロックにまとめられ、さらに、複数個のオーディオデータブロックが１個のアイソクロナスパケットにまとめられて、送出手段からＩＥＥＥ１３９４ネットワークへ送出される。該オーディオ装置において、送出手段は、各オーディオチャンネル別にオーディオ信号を入力される複数個の入力端子もち、各入力端子へ入力されたオーディオ信号別にＡＭ８２４データの決められたラベルを割り当てるとともに、全オーディオチャンネルに係るＡＭ８２４データを搭載したアイソクロナスデータを所定のアイソクロナス転送チャンネルによりＩＥＥＥ１３９４ネットワークへ送出する。アンプ内蔵スピーカは、聴取位置に対して各オーディオチャンネルに対応する相対位置にそれぞれ配置され、選択指示手段によりアイソクロナス転送チャンネル及びＡＭ８２４データのラベルを指示され該指示に対応のアイソクロナス転送チャンネルのパケットの内の該指示に対応のラベルのＡＭ８２４データを選択してオーディオを出力する。対応関係登録手段には、送出手段の各入力端子についてそれへテスト信号を入力したとき該入力端子に設定のオーディオチャンネルのオーディオが該オーディオチャンネルに対応の相対位置のアンプ内蔵スピーカから出力されるために該アンプ内蔵スピーカにおける受信アイソクロナス転送チャンネル及びラベルをどれにするかをユーザにより調査され該調査に基づくユーザ入力に従って各アンプ内蔵スピーカと受信アイソクロナス転送チャンネル及びラベルとの対応関係（以下、「スピーカ−チャンネル等の対応関係」と言う。）を登録される。選択指示手段は、対応関係登録手段に登録されたスピーカ−チャンネル等の対応関係に基づいて各アンプ内蔵スピーカへそのアンプ内蔵スピーカの選択するアイソクロナス転送チャンネル及びラベルを指示する。
【００１４】
第４の発明において、ＩＥＥＥ１３９４ネットワーク対応のスピーカはアンプ内蔵スピーカに限定される。ＩＥＥＥ１３９４ネットワークでは、ユーザは、送出手段と各アンプ内蔵スピーカとを例えばディジーチェーン型、スター型、及びツリー型等で接続できる。これらの接続では、どのスピーカを送出手段のどの出力端子に接続しなければならないという制約がなく、ユーザはアンプ内蔵スピーカ及び送出手段の接続において払う注意を大幅に軽減できる。送出手段が、各入力端子へのオーディオ信号に割り当てるラベルは固定されていることに注意されたい。また、ＩＥＥＥ１３９４では、アイソクロナスリソースマネージャから送出手段に一旦、割り当てられたアイソクロナス転送チャンネルは、アイソクロナス転送チャンネルが開放されるまで、不変であるので、テスト期間のアイソクロナス転送チャンネルはそれに続く本転送期間も維持される。各アンプ内蔵スピーカは、受信するアイソクロナス転送チャンネル及びラベルを選択指示手段からの指示に基づいて選択する。送出手段は、各入力端子へのテスト信号の入力に対して、その入力端子に対応のアイソクロナス転送チャンネル及びＡＭ８２４データのラベルを使って、該テスト信号を送出する。ユーザは、ＩＥＥＥ１３９４の各入力端子へのテスト信号の入力に対して、該入力端子に係るオーディオチャンネルのオーディオが、該オーディオチャンネルに対応のアンプ内蔵スピーカから出力されるためには、該対応のアンプ内蔵スピーカにどのアイソクロナス転送チャンネル及びラベルを選択させたらよいかを試行錯誤により調査し、該調査の結果、判明したアイソクロナス転送チャンネル及びラベルを該アンプ内蔵スピーカに対応付けて登録する。こうして、対応関係登録手段は、全部のアンプ内蔵スピーカについて、該選択指示手段から対応のオーディオチャンネルのオーディオが出力されるときのアイソクロナス転送チャンネル及びＡＭ８２４データのラベルが登録される。選択指示手段は、各アンプ内蔵スピーカへそれが選択すべきアイソクロナス転送チャンネル及びラベルをスピーカ−チャンネル等の対応関係に基づいて指示する。各アンプ内蔵スピーカは、送出手段の入力端子へテスト信号ではなく、通常のオーディオ信号が入力されているとき、選択指示手段から指示されたアイソクロナス転送チャンネル及びラベルに基づいてオーディオデータを抽出し、該オーディオデータに係るオーディオを出力する。このように、アンプ内蔵スピーカへの配線における注意を低減しつつ、各オーディオチャンネルのオーディオを対応のアンプ内蔵スピーカから正しく出力させることができる。
【００１５】
第５の発明のオーディオ装置によれば、第４の発明のオーディオ装置において、聴取位置の向きを回転する旨のユーザ通知に対して、選択指示手段は、スピーカ−チャンネル等の対応関係に基づいて聴取位置の向き回転後の各アンプ内蔵スピーカの相対位置を向き回転後相対位置として求め各アンプ内蔵スピーカが、その向き回転後相対位置に対応するオーディオチャンネルのオーディオ信号を出力するようにスピーカ−チャンネル等の対応関係に基づいて各アンプ内蔵スピーカの選択すべきアイソクロナス転送チャンネル及びラベルを各アンプ内蔵スピーカに指示する。
【００１６】
部屋の模様変え等が行われると、聴取位置の向きが変更になる。ｎを整数とし、聴取位置の向きが時計方向へ９０・ｎ°回転すると、向き回転後の聴取位置に対する各スピーカの相対位置は、反時計方向へ９０・ｎ°回転する。選択指示手段は、スピーカ−チャンネル等の対応関係に基づいて聴取位置の向き回転後の各スピーカの相対位置を向き回転後相対位置として求め、この向き回転後相対位置に合わせてスピーカ−チャンネル等の対応関係に基づいて各アンプ内蔵スピーカの選択すべき受信アイソクロナス転送チャンネル及びＡＭ８２４データのラベルを変更して、それをアンプ内蔵スピーカに指示する。こうして、各アンプ内蔵スピーカからは、その向き回転後相対位置に対応するオーディオチャンネルのオーディオが出力される。
【００１７】
第６の発明のオーディオ装置によれば、第５の発明のオーディオ装置において、オーディオチャンネルには、聴取位置に対する相対出力位置がそれぞれ左前方及び右前方となっているものと共に、聴取位置に対する相対出力位置が中央前方となっているものが含まれ、変更後相対位置が聴取位置の中央前方となるアンプ内蔵スピーカが存在しない場合には、中央前方オーディオチャンネルのオーディオ信号は、左前方及び右前方オーディオチャンネルの各オーディオ信号に加算されるようになっている。
【００１８】
例えばドルビー・デジタル方式のマルチ・サウンド・システム等では、Ｃチャンネル用となっているアンプ内蔵スピーカが存在する。聴取位置の向き回転に伴い、聴取位置の中央前方にアンプ内蔵スピーカが配置されていない場合がある。このような場合、Ｌ及びＲのオーディオチャンネルにＣのオーディオチャンネルのオーディオ信号を加算すれば、変更後相対位置がＬ及びＲとなっているアンプ内蔵スピーカが本来のＬ及びＲのオーディオチャンネルにオーディオに加えて、Ｃのオーディオが出力され、Ｃ用のアンプ内蔵スピーカがなくても、Ｃのオーディオチャンネルのオーディオを聞くことができる。
【００１９】
【発明の実施の形態】
以下、発明の実施の形態について図面を参照して説明する。
図１は各スピーカとアンプ装置２５との間にケーブルを配線する通常ケーブル接続型オーディオシステム１０の構成図である。オーディオルーム１３は、上面視がほぼ長方形であり、聴取位置１４は、オーディオルーム１３のほぼ中心に位置し、かつ向きを４個の側壁の１個へ規定されている。説明の便宜上、図１の聴取位置１４の向きのユーザから見て、正面、左側面、右側面、及び背面を定義する。Ｌチャンネル用スピーカ１６は、オーディオルーム１３の正面及び左側面の側壁の角部、すなわち左前方の角部の近辺に配置される。Ｒチャンネル用スピーカ１７は、オーディオルーム１３の正面及び右側面の側壁の角部、すなわち右前方の角部の近辺に配置される。ＳＬチャンネル用スピーカ１８は、オーディオルーム１３の背面及び左側面の側壁の角部、すなわち左後方の角部の近辺に配置される。ＳＲチャンネル用スピーカ１９は、オーディオルーム１３の背面及び右側面の側壁の角部、すなわち右後方の角部の近辺に配置される。Ｃチャンネル用スピーカ２０は正面の側壁の左右方向中央部に配置される。ＳＷ用スピーカ２１は、オーディオルーム１３内のどこにでも配置されてよく、例えば図１ではＣチャンネル用スピーカ２０の近辺に配置される。アンプ装置２５は、Ｌチャンネル用スピーカ１６、Ｒチャンネル用スピーカ１７、ＳＬチャンネル用スピーカ１８、ＳＲチャンネル用スピーカ１９、Ｃチャンネル用スピーカ２０、及びＳＷ用スピーカ２１の個数に対応して１〜６のアンプを備える。
【００２０】
スピーカ位置制御回路２９は、プリメインアンプから送られて来る各オーディオ信号を入力されるオーディオ信号入力部３０を有している。オーディオ信号入力部３０へ入力されるオーディオ信号は、Ｌ（Ｌｅｆｔ：左）、ＳＷ（Ｓｕｂ  Ｗｏｏｆｅｒ：サブウーハー）、Ｃ（Ｃｅｎｔｅｒ：中央）、Ｒ（Ｒｉｇｈｔ：右）、ＳＲ（Ｓｕｒｒｏｕｎｄ  Ｒｉｇｈｔ：サラウンド右）、ＳＬ（Ｓｕｒｒｏｕｎｄ  Ｌｅｆｔ：サラウンド左）の計６個のチャンネルのオーディオ信号となっている。これらＬ、Ｒ、ＳＬ、ＳＲ、Ｃ、及びＳＷのチャンネルのオーディオ信号のソースとしては例えばＤＶＤプレーヤがある。Ｌチャンネル用スピーカ１６、Ｒチャンネル用スピーカ１７、ＳＬチャンネル用スピーカ１８、ＳＲチャンネル用スピーカ１９、Ｃチャンネル用スピーカ２０、及びＳＷ用スピーカ２１は、Ｌ、Ｒ、ＳＬ、ＳＲ、Ｃ、及びＳＷのチャンネルのオーディオ信号を出力する位置に対応付けられた位置になっている。スピーカ位置制御回路２９は、さらに、クロスバースイッチ式信号切替部３１、ミュート回路３２、及びテスト信号入力部３３を備えている。クロスバースイッチ式信号切替部３１は、６（アンプ装置２５のアンプの個数に対応する。）×６（オーディオ信号入力部３０の入力点の個数に対応する。）のマトリックス配置の複数個のクロスバースイッチを備え、ミュート回路３２は、アンプ装置２５のアンプの個数に対応する６個のクロスバースイッチを一列に備え、テスト信号入力部３３は、アンプ装置２５のアンプの個数に対応する６個のクロスバースイッチを一列に備えている。クロスバースイッチ式信号切替部３１、ミュート回路３２、及びテスト信号入力部３３のクロスバースイッチはオフ（ＯＦＦ）位置、オン（ＯＮ）１位置、及びオン（ＯＮ）２位置を備えている。クロスバースイッチ式信号切替部３１では、クロスバースイッチがオフ位置にあると、そのクロスバースイッチと同一列のオーディオ信号入力部３０のオーディオ入力点と同一行のアンプとの接続を断ち、オン１位置では、そのクロスバースイッチと同一列のオーディオ信号入力部３０のオーディオ入力点と同一行のアンプとを接続する。ミュート回路３２では、クロスバースイッチは、オン１位置では、同一行のアンプの入力端をアースし、これにより、該アンプの出力を０にして、対応スピーカのミュートを行い、オフ位置では、同一行のアンプの入力端とアースとの接続を断って、ミュートを中止する。テスト信号入力部３３は、テストモードにおいて使用されるものであり、テストモードにおいて、クロスバースイッチは、オン１位置では、同一行のアンプの入力側へテスト信号を送り、オフ位置では、該テスト信号の送りを中止する。加算回路３４は、Ｒチャンネル及びＬチャンネルの信号線上にそれぞれ設けられ、クロスバースイッチ式信号切替部３１へ送るオーディオ信号を切替える。すなわち、各加算回路３４のオフ位置では、オーディオ信号入力部３０のＲチャンネル及びＬチャンネルのオーディオ信号がそのままクロスバースイッチ式信号切替部３１へ送られるのに対し、各加算回路３４のオン位置では、それぞれオーディオ信号入力部３０のＲチャンネル及びＬチャンネルのオーディオ信号にオーディオ信号入���部３０からのＣチャンネルのオーディオ信号を加算して、クロスバースイッチ式信号切替部３１へ送る。聴取方向制御マネージャ３６は、ユーザにより選択したアンプへテスト信号を入力させるように、テスト信号入力部３３のクロスバースイッチの位置を切替える機能をもつ。聴取方向制御マネージャ３６は、また、各スピーカがアンプ装置２５のどのアンプからのテスト信号出力時にオーディオを出力するかのユーザ入力に基づくアンプ−スピーカの対応関係が設定されるとともに、それを記憶する。聴取方向制御マネージャ３６は、リスニングモードでは、プリメインアンプを介してオーディオ信号入力部３０の各オーディオ入力点へ入力されたオーディオ信号がアンプ装置２５のアンプにより増幅されて、チャンネルの一致するスピーカからオーディオとして出力されるように、記憶中のアンプ−スピーカの対応関係に基づいてクロスバースイッチ式信号切替部３１のクロスバースイッチの位置を制御する。
【００２１】
ユーザによる聴取方向制御マネージャ３６の設定手順及びスピーカ位置制御回路２９の作動について順番に説明する。
（ａ）ユーザは、通常ケーブル接続型オーディオシステム１０の使用開始時のアンプ装置２５のアンプとＬチャンネル用スピーカ１６、Ｒチャンネル用スピーカ１７、ＳＬチャンネル用スピーカ１８、ＳＲチャンネル用スピーカ１９、Ｃチャンネル用スピーカ２０、及びＳＷ用スピーカ２１との接続において、Ｌチャンネル用スピーカ１６、Ｒチャンネル用スピーカ１７、ＳＬチャンネル用スピーカ１８、ＳＲチャンネル用スピーカ１９、Ｃチャンネル用スピーカ２０、及びＳＷ用スピーカ２１をアンプ装置２５のどのアンプへ接続するかをまったく考えることなく、単純に、Ｌチャンネル用スピーカ１６、Ｒチャンネル用スピーカ１７、ＳＬチャンネル用スピーカ１８、ＳＲチャンネル用スピーカ１９、Ｃチャンネル用スピーカ２０、及びＳＷ用スピーカ２１の各々をアンプ装置２５のどれかのアンプへ、スピーカ：アンプが１：１の接続関係で接続する。
【００２２】
（ｂ）ユーザは通常ケーブル接続型オーディオシステム１０をテストモードにする。
（ｃ）ユーザは、聴取方向制御マネージャ３６を操作して、各アンプへ順番にテスト信号を入力する。例えば、１番目には、アンプ１にテスト信号を入力させ、これに対してどのスピーカからオーディオが出力されるかを調べ、オーディオの出力されたスピーカに対応する設定を行う。図１の接続配線では、アンプ１にテスト信号を入力させたときにオーディオが出力されるのはＬチャンネル用スピーカ１６であるので、ユーザは聴取方向制御マネージャ３６においてアンプ１にＬを設定する入力操作を行うことになる。
（ｄ）ユーザは、（ｃ）と同様にして、アンプ２〜６へ順番にテスト信号を入力させ、それぞれに対してオーディオの出力されるスピーカがどれになっているかを聴取方向制御マネージャ３６に設定する。図１の接続配線では、アンプ２〜６に対してそれぞれＳＷ，Ｃ，Ｒ，ＳＲ，ＳＬが設定される。
（ｅ）ユーザはアンプとスピーカとの対応関係の設定が終了すると、テストモードを終了して、リスニングモードへ切替える。なお、聴取位置１４の正面中央にスピーカが存在するときは、リスニングモードにおいて、両加算回路３４はオフ位置になっている。聴取方向制御マネージャ３６は、アンプ−スピーカの対応関係を設定されており、リスニングモードでは、アンプ装置２５の各アンプへ対応チャンネルのオーディオ信号が入力されるように、すなわち各スピーカから対応チャンネルのオーディオが出力されるように、クロスバースイッチ式信号切替部３１の各クロスバースイッチは聴取方向制御マネージャ３６により位置を制御される。
【００２３】
上記（ｃ）及び（ｄ）では、各アンプに対してどのスピーカからオーディオが出力されるかを聴取方向制御マネージャ３６に設定しているが、逆に、各スピーカに対してどのアンプが割り当てられているかを聴取方向制御マネージャ３６に設定するようにしても、結果として同一のアンプ−スピーカの対応関係を聴取方向制御マネージャ３６に設定できる。すなわち、アンプ１〜６へ順番にテスト信号を入力させて、ＬチャンネルとしてのＬチャンネル用スピーカ１６からオーディオが出力されるのはどのアンプかを調べ、そのアンプ番号をＬに対して設定する。以降、同様にして、Ｒ、ＳＬ、ＳＲ、Ｃ、及びＳＷのスピーカに対してアンプ番号を設定する。図１の接続配線では、Ｌ、Ｒ、ＳＬ、ＳＲ、Ｃ、及びＳＷに対してそれぞれアンプ番号１，４，６，５，３，２が設定される。
【００２４】
オーディオルーム１３の模様替え等に伴い、聴取位置１４の向きが上方から見て時計方向へ９０・ｎ回転した状況を考える。オーディオルーム１３内の各スピーカは、聴取位置１４の向き回転に伴い、聴取位置１４に対する相対方向が上方から見て反時計方向へ９０・ｎ回転したことになる。ユーザは、時計方向へ９０・ｎ回転したことに対応する情報を聴取方向制御マネージャ３６に入力すると、聴取方向制御マネージャ３６は、それに基づいて向き回転後の聴取位置１４に対する各スピーカの相対方向を算出し、各スピーカから、その変更後の相対方向に対応するチャンネルのオーディオが正しく出力されるように、クロスバースイッチ式信号切替部３１の各クロスバースイッチの位置を制御する。例えば、ｎが１のときは、Ｌチャンネル用スピーカ１６、Ｒチャンネル用スピーカ１７、ＳＬチャンネル用スピーカ１８、ＳＲチャンネル用スピーカ１９、Ｃチャンネル用スピーカ２０、及びＳＷ用スピーカ２１は、それぞれＳＬ，Ｌ，ＳＲ，Ｒ，対応無し、及びＳＷとなり、それらチャンネルのオーディオ信号が対応アンプから出力されてくるように、クロスバースイッチ式信号切替部３１のクロスバースイッチが位置を制御される。このとき、Ｃチャンネルのオーディオを出力するスピーカが無くなるので、両加算回路３４をオンにして、Ｌ及びＲチャンネルのオーディオ信号にＣチャンネルのオーディオ信号を加算して、Ｒチャンネル用スピーカ１７及びＳＲチャンネル用スピーカ１９からそれぞれＬ＋ＣとＲ＋Ｃのオーディオを出力し、これにより、Ｃ対応のスピーカがないにもかかわらず、実質、あるのと同様なオーディオを聴取できる。
【００２５】
図２はＩＥＥＥ１３９４ネットワークを使用して各スピーカへオーディオ信号を送るＩＥＥＥ１３９４バス接続型オーディオシステム４０の構成図である。Ｌチャンネル用スピーカ１６、Ｒチャンネル用スピーカ１７、ＳＬチャンネル用スピーカ１８、ＳＲチャンネル用スピーカ１９、Ｃチャンネル用スピーカ２０、及びＳＷ用スピーカ２１、さらにスピーカ位置制御回路５９のＩＥＥＥ１３９４インターフェース６４は、ディジーチェーン接続方式を使ってＩＥＥＥ１３９４バス４１により接続されている。これらＬチャンネル用スピーカ１６、Ｒチャンネル用スピーカ１７、ＳＬチャンネル用スピーカ１８、ＳＲチャンネル用スピーカ１９、Ｃチャンネル用スピーカ２０、及びＳＷ用スピーカ２１は、図１のものとは異なり、アンプ内蔵式となっている。
【００２６】
図４はＩＥＥＥ１３９４に使用されるＡ＆Ｍプロトコル（Ａｕｄｉｏ  ａｎｄ  Ｍｕｓｉｃ  Ｄａｔａ  Ｔｒａｎｓｍｉｓｓｉｏｎ  ｐｒｏｔｏｃｏｌ）の説明図である。アイソクロナス転送チャンネルでは、オーディオ信号の転送フォーマットとしてＡ＆Ｍプロトコルが利用されている。各オーディオチャンネル（Ｌ、Ｒ、ＳＬ、ＳＲ、Ｃ、及びＳＷ）のオーディオ信号は別々のラベルのＡＭ８２４データに搭載される。ＡＭ８２４データは、８ビットのラベルとそれに続く２４ビットのオーディオデータとから構成される。同一タイミングのＡＭ８２４データ同士は、１個のオーディオデータブロックにまとめられる。
【００２７】
図５はアイソクロナス転送チャンネルにおけるオーディオデータブロックとアイソクロナスデータとの関係を示している。各アイソクロナス期間に生成された複数個のオーディオデータブロックは１個のデータパケットにまとめられる。各データパケットは、それが生成されたアイソクロナス期間に対して次のアイソクロナス期間において、前後からそれぞれシップヘッダ（ＣＩＰ）とＣＲＣコード等とに挟まれた１個のアイソクロナスパケットとされて、アイソクロナスリソースマネージャから割り当てられたアイソクロナス転送チャンネルによりＩＥＥＥ１３９４ネットワークへ送出される。
【００２８】
図３はアンプ内蔵スピーカ４４の内部フロック図である。ＩＥＥＥ１３９４インターフェース４６に入力されたアイソクロナス転送のパケットに対して、受信チャンネル設定部４７は設定チャンネル及び設定ラベルのパケット（以下、設定チャンネル及び設定ラベルを合わせて適宜、「受信チャンネル」と言う。）のみを抽出し、それを復号して、オーディオ信号を得る。このオーディオ信号は、内蔵アンプ４８により増幅されて、スピーカ部４９からオーディオとして出力される。Ｌチャンネル用スピーカ１６、Ｒチャンネル用スピーカ１７、ＳＬチャンネル用スピーカ１８、ＳＲチャンネル用スピーカ１９、Ｃチャンネル用スピーカ２０、及びＳＷ用スピーカ２１の受信チャンネル設定部４７は、受信チャンネルを変更自在にされている。
【００２９】
図２において、スピーカ位置制御回路５９では、オーディオ信号入力部６０は、プリメインアンプからのＬ、Ｒ、ＳＬ、ＳＲ、Ｃ、及びＳＷのチャンネルのオーディオ信号を入力される入力点を備え、パケット生成部６３の対応の入力点へ接続されている。オーディオ信号入力部６０の各入力点とパケット生成部６３の入力点との対応関係は固定されており、すなわちパケット生成部６３の入力点は、図２において上から下へ順番に例えばＬ、ＳＷ、Ｃ、Ｒ、ＳＲ、及びＳＬチャンネルのオーディオ信号を入力されるものと決められている。ミュート回路３２において、各クロスバースイッチは、オン１位置では、同一行のオーディオ信号入力部６０の入力点をアースへ短絡して、ミュートを実施する。テストモードにおいて、テスト信号入力部３３の各クロスバースイッチは、オン１位置では、テスト信号を同一行のパケット生成部６３の入力端子へ入力する。パケット生成部６３は、各入力端子別に異なるラベルでＡＭ８２４データを作成するとともに、それらを図４及び図５において前述した手順でアイソクロナスパケット化する。ＩＥＥＥ１３９４インターフェース６４は、パケット生成部６３の生成したアイソクロナスパケットを、アイソクロナスリソースマネージャから割り当てられたアイソクロナス転送チャンネルによりＩＥＥＥ１３９４バス４１へ出力する。リスニングモードでは、ミュート回路３２及びテスト信号入力部３３の各クロスバースイッチはオン２位置となり、これにより、オーディオ信号入力部６０の各入力点のオーディオ信号は、直進して、同一行のパケット生成部６３の入力端子へ入力される。
【００３０】
ＩＥＥＥ１３９４バス接続型オーディオシステム４０におけるユーザによる聴取方向制御マネージャ６８の設定入力及び聴取方向制御マネージャ６８の作動について順番に説明する。
（ａ）ユーザは、ＩＥＥＥ１３９４インターフェース６４、Ｌチャンネル用スピーカ１６、Ｒチャンネル用スピーカ１７、ＳＬチャンネル用スピーカ１８、ＳＲチャンネル用スピーカ１９、Ｃチャンネル用スピーカ２０、及びＳＷ用スピーカ２１をディージーチェーン方式でＩＥＥＥ１３９４バス４１により接続する。この接続については、ユーザは、各アンプ内蔵スピーカがＩＥＥＥ１３９４バス４１により接続されている否かに気を付けるのみで、どのアンプ内蔵スピーカとどのアンプ内蔵スピーカ又はＩＥＥＥ１３９４インターフェース６４と対応付けて接続するかについては一切考えなくてよい。
【００３１】
（ｂ）ユーザは、ＩＥＥＥ１３９４バス接続型オーディオシステム４０をテストモードにして、パケット生成部６３のＬチャンネル用入力点にテスト信号を入力する。次に、ユーザは、オーディオがＬチャンネル用スピーカ１６から出力されるように、Ｌチャンネル用スピーカ１６の受信チャンネル（＝アイソクロナス転送チャンネル＋ＡＭ８２４のラベル）を聴取方向制御マネージャ６８を介して設定する。
【００３２】
（ｃ）以下、同様にして、パケット生成部６３のＳＷ、Ｃ、Ｒ、ＳＲ、及びＳＬチャンネル用入力点にテスト信号を順番に入力し、各入力点に対応するアンプ内蔵スピーカからオーディオが出力されるように、各アンプ内蔵スピーカにおける受信チャンネル設定部４７の受信チャンネル（＝アイソクロナス転送チャンネル＋ＡＭ８２４のラベル）を聴取方向制御マネージャ６８における操作により設定する。パケット生成部６３の各入力点−アンプ内蔵スピーカの対応関係は、オーディオ信号のチャンネル−アンプ内蔵スピーカの対応関係と等価となっており、さらに、受信チャンネル（＝アイソクロナス転送チャンネル＋ＡＭ８２４のラベル）−アンプ内蔵スピーカの対応関係と等価となっており、こうして、パケット生成部６３の各入力点−アンプ内蔵スピーカの対応関係が聴取方向制御マネージャ６８に登録されることになる。なお、この受信チャンネル−アンプ内蔵スピーカの対応関係では、各アンプ内蔵スピーカの受信チャンネルは、相互に同一のものはなく、それぞれ異なっていることに注意されたい。また、アイソクロナスリソースマネージャから取得したアイソクロナス転送チャンネルは該アイソクロナス転送チャンネルを取得した機器が開放されるまで保持されるので、テストモードで取得されたアイソクロナス転送チャンネルは次のリスニングモードでも維持される。
【００３３】
（ｄ）この後、リスニングモードへ切替えられると、プリメインアンプからの各チャンネルのオーディオ信号がオーディオ信号入力部６０の対応入力点へ入力され、さらに、同一行のパケット生成部６３の入力点へ入力される。パケット生成部６３は、各入力点のオーディオ信号ごとに別々のラベルのＡＭ８２４データを生成し、さらに、それをアイソクロナスパケット化し、ＩＥＥＥ１３９４インターフェース６４より所定のアイソクロナス転送チャンネルでＩＥＥＥ１３９４バス４１へ送出する。各アンプ内蔵スピーカは、聴取方向制御マネージャ６８が、それに設定登録されている受信チャンネル−アンプ内蔵スピーカの対応関係に基づいた受信チャンネルのパケットを復調、復号し、これにより生成されたオーディオを出力する。したがって、各アンプ内蔵スピーカからは、聴取位置１４に対する配置に対応するオーディオチャンネルのオーディオが出力される。
【００３４】
ＩＥＥＥ１３９４バス接続型オーディオシステム４０において、オーディオルーム１３の模様替え等に伴い、聴取位置１４の向きが上方から見て時計方向へ９０・ｎ°回転した状況を考える。オーディオルーム１３内の各アンプ内蔵スピーカは、聴取位置１４の向き回転に伴い、聴取位置１４に対する相対方向が上方から見て反時計方向へ９０・ｎ回転したことになる。ユーザは、時計方向へ９０・ｎ回転したことに対応する上方を聴取方向制御マネージャ６８に入力すると、聴取方向制御マネージャ６８は、それに基づいて向き回転後の聴取位置１４に対する各アンプ内蔵スピーカの相対方向を算出し、聴取位置１４の向き変更後の相対方向に対応するアンプ内蔵スピーカから、そのアンプ内蔵スピーカに対応のチャンネルのオーディオが正しく出力されるように、各アンプ内蔵スピーカの受信チャンネル（＝アイソクロナス転送チャンネル＋ＡＭ８２４のラベル）を変更する。例えば、ｎが１のときは、Ｌチャンネル用スピーカ１６、Ｒチャンネル用スピーカ１７、ＳＬチャンネル用スピーカ１８、ＳＲチャンネル用スピーカ１９、Ｃチャンネル用スピーカ２０、及びＳＷ用スピーカ２１は、それぞれＳＬ，Ｌ，ＳＲ，Ｒ，対応無し、及びＳＷとなり、それらチャンネルのオーディオが対応のアンプ内蔵スピーカから出力されるように、各アンプ内蔵スピーカの受信チャンネル（＝アイソクロナス転送チャンネル＋ＡＭ８２４のラベル）が変更される。また、このとき、Ｃチャンネルのオーディオを出力するアンプ内蔵スピーカが無くなるので、両加算回路３４をオンにして、Ｌ及びＲチャンネルのオーディオ信号にＣチャンネルのオーディオ信号を加算する。これにより、Ｒチャンネル用スピーカ１７及びＳＲチャンネル用スピーカ１９から出力されるオーディオには、本来のＬ及びＲチャンネルのオーディオにＣチャンネルのオーディオが加えられて出力され、Ｃチャンネル対応のアンプ内蔵スピーカがないにもかかわらず、実質、あるのと同様なオーディオを聴取できる。
【図面の簡単な説明】
【図１】各スピーカとアンプ装置との間にケーブルを配線する通常ケーブル接続型オーディオシステムの構成図である。
【図２】ＩＥＥＥ１３９４ネットワークを使用して各スピーカへオーディオ信号を送るＩＥＥＥ１３９４バス接続型オーディオシステムの構成図である。
【図３】アンプ内蔵スピーカの内部フロック図である。
【図４】ＩＥＥＥ１３９４に使用されるＡ＆Ｍプロトコルの説明図である。
【図５】アイソクロナス転送チャンネルにおけるオーディオデータブロックとアイソクロナスデータとの関係を示す図である。
【符号の説明】
１０    通常ケーブル接続型オーディオシステム
１４    聴取位置
１６    Ｌチャンネル用スピーカ
１７    Ｒチャンネル用スピーカ
１８    ＳＬチャンネル用スピーカ
１９    ＳＲチャンネル用スピーカ
２０    Ｃチャンネル用スピーカ
２１    ＳＷ用スピーカ
２５    アンプ装置
３０    オーディオ信号入力部
３１    クロスバースイッチ式信号切替部
３２    ミュート回路
３３    テスト信号入力部
３６    聴取方向制御マネージャ
４０    ＩＥＥＥ１３９４バス接続型オーディオシステム
４１    ＩＥＥＥ１３９４バス
４４    アンプ内蔵スピーカ
６３    パケット生成部
６４    ＩＥＥＥ１３９４インターフェース
６８    聴取方向制御マネージャ
【図１】
0003747779.tif 000002
【図２】
0003747779.tif 000003
【図３】
0003747779.tif 000004
【図４】
0003747779.tif 000005
【図５】
0003747779.tif 000006